【手続補正書】
【提出日】平成27年11月19日(2015.11.19)
【手続補正１】
【補正対象書類名】特許請求の範囲
【補正対象項目名】全文
【補正方法】変更
【補正の内容】
【特許請求の範囲】
【請求項１】
（a）手首装着式センサにより、ユーザの日常の動きパラメータデータを取得する段階であって、前記動きパラメータデータの少なくとも第一の部分が、指示された運動動作を行っている前記ユーザの結果として取得される、段階;
（b）プロセッサにおいて、前記指示された運動動作を行っている前記ユーザの前記動きパラメータデータの前記少なくとも第一の部分に基づいて1つまたは複数の人間動作スクリーニングスコアを生成する段階;
（c）前記プロセッサにより、前記1つまたは複数の人間動作スクリーニングスコアに基づいて、改善のための前記ユーザの身体領域を特定するパーソナル化エクササイズプログラムを生成する段階;および
（d）前記プロセッサにより、前記パーソナル化エクササイズプログラムのエクササイズと同一または類似のエクササイズの全量を前記ユーザが最近行ったことを示す前記動きパラメータデータの少なくとも第二の部分に基づいて、前記パーソナル化エクササイズプログラムを変更する段階
を含み、
前記人間動作スクリーニングスコアが、（1）エクササイズの間に痛みを感じた、（2）エクササイズが機能的に行われなかった、（3）エクササイズが許容できる程度に行われた、および（4）エクササイズが適切に行われた、を含む4つのスコアレベルを含む、
コンピュータにより実現される方法。
【請求項２】
段階（a）が、撮像機器により、指示された運動動作を行っているユーザの画像を取得することをさらに含む、請求項1記載のコンピュータにより実現される方法。
【請求項３】
段階（b）が、プロセッサにおいて、手首装着式センサと第二のセンサとに基づいて人間動作スクリーニングスコアを生成することを含む、請求項2記載のコンピュータにより実現される方法。
【請求項４】
手首装着式センサが加速度計を含む、請求項1記載のコンピュータにより実現される方法。
【請求項５】
段階（a）が、フットウェア装着式加速度計により、動きパラメータを取得することをさらに含む、請求項1記載のコンピュータにより実現される方法。
【請求項６】
手首装着式センサが、向き判定センサを含む、請求項1記載のコンピュータにより実現される方法。
【請求項７】
パーソナル化エクササイズプログラムを生成する段階が、人間動作スクリーニングスコアとユーザの入力とに基づく、請求項1記載のコンピュータにより実現される方法。
【請求項８】
ユーザの入力が投入時間を含む、請求項7記載のコンピュータにより実現される方法。
【請求項９】
ユーザの入力が、所定の期間におけるエクササイズセッションの回数を含む、請求項7記載のコンピュータにより実現される方法。
【請求項１０】
撮像機器が複数のカメラを含む、請求項2記載のコンピュータにより実現される方法。
【請求項１１】
撮像機器が赤外線カメラを含む、請求項10記載のコンピュータにより実現される方法。
【請求項１２】
段階（b）が、異なる時間のユーザの身体部分の位置を特定することにより前記ユーザのフォームを評価することを含む、請求項1記載のコンピュータにより実現される方法。
【請求項１３】
段階（d）が、パーソナル化エクササイズプログラムからエクササイズを減らすかまたは削除することを含む、請求項1記載のコンピュータにより実現される方法。
【請求項１４】
手首装着式センサがディスプレイを含む、請求項１記載のコンピュータにより実現される方法。
【請求項１５】
手首装着式センサがジャイロスコープを含む、請求項１記載のコンピュータにより実現される方法。
【請求項１６】
手首装着式センサがGPS機器を含む、請求項1記載のコンピュータにより実現される方法。
【請求項１７】
少なくとも一つのプロセッサを含むビデオゲームコンソールと、
表示装置と、
撮像機器と、
実行されるとシステムに、
ユーザの手足に装着されるように構成された機器により、日常の動きパラメータデータを取得する段階であって、前記動きパラメータデータの少なくとも第一の部分が、指示された運動動作を行っている前記ユーザの結果として取得される、段階;
前記少なくとも一つのプロセッサにおいて、前記指示された運動動作を行っている前記ユーザの前記動きパラメータデータの前記少なくとも第一の部分に基づいて1つまたは複数の人間動作スクリーニングスコアを生成する段階; 
前記少なくとも一つのプロセッサにおいて、前記1つまたは複数の人間動作スクリーニングスコアに基づいて、改善のための前記ユーザの身体領域を特定するパーソナル化エクササイズプログラムを生成する段階;および
前記少なくとも一つのプロセッサにおいて、前記パーソナル化エクササイズプログラムのエクササイズと同一または類似のエクササイズの全量を前記ユーザが最近行ったことを示す前記動きパラメータデータの少なくとも第二の部分に基づいて、前記パーソナル化エクササイズプログラムを変更する段階
を含む段階を実行させるコンピュータ実行可能命令を含み、
前記1つまたは複数の人間動作スクリーニングスコアが、（1）エクササイズの間に痛みを感じた、（2）エクササイズが機能的に行われなかった、（3）エクササイズが許容できる程度に行われた、および（4）エクササイズが適切に行われた、を含む4つのスコアレベルを含む、
コンピュータ可読メモリと
を含む、前記システム
を含む、コンピュータにより実現される方法。
【請求項１８】
前記取得する段階が、機器上に位置する加速度計から加速度計データを獲得することを含む、請求項17記載の方法。
【請求項１９】
前記加速度計データが、複数の軸からのデータを含む、請求項18記載の方法。
【請求項２０】
フットウェア装着式加速度計からユーザの動きパラメータを収集する段階
をさらに含み、
前記人間動作スクリーニングスコアを生成する段階が、フットウェア装着式加速度計から獲得されたデータおよび前記ユーザの手足に装着されるように構成された機器から取得された動きパラメータに少なくとも基づいている、
請求項18記載の方法。
【請求項２１】
機器がジャイロスコープを含む、請求項18記載の方法。
【請求項２２】
実行されるとシステムに、
身体装着式センサにより、ユーザの日常の動きパラメータデータを取得する段階であって、前記動きパラメータデータの少なくとも第一の部分が、指示された運動動作を行っている前記ユーザの結果として取得される、段階;
少なくとも一つのプロセッサにより、前記指示された運動動作を行っている前記ユーザの動きパラメータデータの前記少なくとも第一の部分に基づいて1つまたは複数の人間動作スクリーニングスコアを生成する段階; 
前記少なくとも一つのプロセッサにおいて、前記1つまたは複数の人間動作スクリーニングスコアに基づいて、改善のための前記ユーザの身体領域を特定するパーソナル化エクササイズプログラムを生成する段階;および
前記少なくとも一つのプロセッサにより、前記パーソナル化エクササイズプログラムのエクササイズと同一または類似のエクササイズの全量を前記ユーザが最近行ったことを示す前記動きパラメータデータの少なくとも第二の部分に基づいて、前記パーソナル化エクササイズプログラムを変更する段階
を含む段階を実行させるコンピュータ実行可能命令を含み、
前記人間動作スクリーニングスコアが、（1）エクササイズの間に痛みを感じた、（2）エクササイズが機能的に行われなかった、（3）エクササイズが許容できる程度に行われた、および（4）エクササイズが適切に行われた、を含む4つのスコアレベルを含む、
非一時的コンピュータ可読媒体。
【手続補正２】
【補正対象書類名】明細書
【補正対象項目名】００１１
【補正方法】変更
【補正の内容】
【００１１】
[本発明1001]
（a）運動動作を行うよう指示を与える段階;
（b）撮像機器により、前記運動動作を行っているユーザの画像を取得する段階;
（c）プロセッサにおいて、運動動作を行っている前記ユーザの取得画像に基づいて人間動作スクリーニングスコアを生成する段階;および
（d）プロセッサにおいて、前記人間動作スクリーニングスコアに基づいてパーソナル化エクササイズプログラムを生成する段階
を含む、コンピュータにより実現される方法。
[本発明1002]
段階（b）が、撮像機器以外のセンサにより、運動動作を行っているユーザの動きパラメータを取得することをさらに含む、本発明1001のコンピュータにより実現される方法。
[本発明1003]
段階（c）が、プロセッサにおいて、ユーザの取得画像とセンサにより取得された動きパラメータとに基づいて人間動作スクリーニングスコアを生成することを含む、本発明1002のコンピュータにより実現される方法。
[本発明1004]
撮像機器以外のセンサが手首装着式加速度計を含む、本発明1002のコンピュータにより実現される方法。
[本発明1005]
撮像機器以外のセンサがフットウェア装着式加速度計を含む、本発明1002のコンピュータにより実現される方法。
[本発明1006]
撮像機器以外のセンサが、向き判定センサを含む、本発明1002のコンピュータにより実現される方法。
[本発明1007]
段階（d）が、プロセッサにおいて、人間動作スクリーニングスコアとユーザの入力とに基づいてパーソナル化エクササイズプログラムを生成することを含む、本発明1001のコンピュータにより実現される方法。
[本発明1008]
ユーザの入力が投入時間を含む、本発明1007のコンピュータにより実現される方法。
[本発明1009]
ユーザの入力が、所定の期間におけるエクササイズセッションの回数を含む、本発明1007のコンピュータにより実現される方法。
[本発明1010]
撮像機器が複数のカメラを含む、本発明1001のコンピュータにより実現される方法。
[本発明1011]
撮像機器が赤外線カメラを含む、本発明1010のコンピュータにより実現される方法。
[本発明1012]
段階（c）が、異なる時間のユーザの身体部分の位置を特定することにより前記ユーザのフォームを評価することを含む、本発明1001のコンピュータにより実現される方法。
[本発明1013]
段階（d）の後に、
（e）ユーザの活動をモニタする撮像機器以外のセンサによって取得されたエクササイズデータを受け取る段階;および
（f）前記センサによって取得された前記エクササイズデータに基づいてパーソナル化エクササイズプログラムを変更する段階
をさらに含む、本発明1001のコンピュータにより実現される方法。
[本発明1014]
段階（f）が、センサによって取得されたエクササイズデータが、同じまたは類似のエクササイズがユーザによって最近行われたことを示すときに、エクササイズを減らすか
または削除することを含む、本発明1013のコンピュータにより実現される方法。
[本発明1015]
段階（e）のセンサが手首装着式加速度計を含む、本発明1013のコンピュータにより実現される方法。
[本発明1016]
段階（e）のセンサがフットウェア装着式加速度計を含む、本発明1013のコンピュータにより実現される方法。
[本発明1017]
段階（e）のセンサがジャイロスコープを含む、本発明1013のコンピュータにより実現される方法。
[本発明1018]
ユーザの運動活動をモニタするセンサがGPS機器を含む、本発明1013のコンピュータにより実現される方法。
[本発明1020]
少なくとも一つのプロセッサを含むビデオゲームコンソールと、
表示装置と、
撮像機器と、
実行されるとシステムに、
（a）前記表示装置上に、運動動作を行うよう求める指示を表示する段階;
（b）前記撮像機器により、前記運動動作を行っているユーザの画像を取得する段階;
（c）前記少なくとも一つのプロセッサにおいて、運動動作を行っている前記ユーザの取得画像に基づいて人間動作スクリーニングスコアを生成する段階;および
（d）前記少なくとも一つのプロセッサにおいて、前記人間動作スクリーニングスコアに基づいてパーソナル化エクササイズプログラムを生成する段階
を含む段階を実行させるコンピュータ実行可能命令を含む、コンピュータ可読メモリと
を含む、システム。
[本発明1021]
運動動作を行っているユーザの動きパラメータを取得する撮像機器以外のセンサをさらに含む本発明1020のシステムであって、
前記コンピュータ実行可能命令が、実行されるとシステムに、前記センサによって取得された前記動きパラメータを取得させる命令をさらに含む、システム。
[本発明1022]
撮像機器以外のセンサが手首装着式加速度計を含む、本発明1021のシステム。
[本発明1023]
撮像機器以外のセンサがフットウェア装着式加速度計を含む、本発明1021のシステム。
[本発明1024]
撮像機器以外のセンサがジャイロスコープを含む、本発明1021のシステム。
[本発明1025]
実行されるとシステムに、
（a）表示装置上に、運動動作を行うよう求める指示を表示する段階;
（b）撮像機器により、前記運動動作を行っているユーザの画像を取得する段階;
（c）少なくとも一つのプロセッサにおいて、運動動作を行っている前記ユーザの取得画像に基づいて人間動作スクリーニングスコアを生成する段階;および
（d）前記少なくとも一つのプロセッサにおいて、前記人間動作スクリーニングスコアに基づいてパーソナル化エクササイズプログラムを生成する段階
を含む段階を実行させるコンピュータ実行可能命令を含む、有形のコンピュータ可読媒体。
各態様の上記その他の局面を、添付の図面を含む本開示全体にわたってさらに詳細に論じる。